(57)【要約】【課題】ガラスと車載カメラとの隙間が狭くても車載カメラに簡単に装着できる車載カメラ用カバーを提供する。【解決手段】車室内よりフロントガラス１を通して外部を撮影する車載カメラ１０に装着する車載カメラ用カバー２０であって、車載カメラ１０の下方より着脱自在に設けられ、装着状態では車載カメラ１０の光学レンズ１１とガラス１の間に入り込むレンズ遮蔽プレート部２４を有する。【選択図】図１
2018158661.tif 000002
【特許請求の範囲】
【請求項１】
車室内よりガラスを通して外部を撮影する車載カメラに装着する車載カメラ用カバーであって、
前記車載カメラの下方より着脱自在に設けられ、装着状態では前記車載カメラの光学レンズと前記ガラスの間に入り込むレンズ遮蔽プレート部を有することを特徴とする車載カメラ用カバー。
【請求項２】
請求項１に記載の車載カメラ用カバーであって、
前記車載カメラの装着位置では、前記車載カメラの側面に弾性変形した状態で係止する一対のスナップフィット部と、前記車載カメラの底面に弾性変形した状態で当接するスナップフィット部とを有することを特徴とする車載カメラ用カバー。
【請求項３】
請求項２に記載の車載カメラ用カバーであって、
前記スナップフィット部が設けられら底壁と、前記底壁の後方の周縁より立設された後方囲み壁と、前記底壁の左右側方の周縁より立設された一対の前記スナップフィット部と、前記底壁の前方の周縁より立設された前記レンズ遮蔽プレート部とを有し、
前記底壁と前記後方囲み壁と一対の前記スナップフィット部と前記レンズ遮蔽プレート部に囲まれて、上面側が開口されたカメラ保持室が形成され、
前記車載カメラの装着位置では、前記カメラ保持室に前記車載カメラを収容した状態で保持することを特徴とする車載カメラ用カバー。
【請求項４】
請求項２又は請求項３記載の車載カメラ用カバーであって、
一対の前記スナップフィット部より外側に突出する位置に設けられ、変位操作によって一対の前記スナップフィット部を係止解除方向に変移できる第１ストッパリブを有することを特徴とする車載カメラ用カバー。
【請求項５】
請求項４記載の車載カメラ用カバーであって、
一対の前記スナップフィット部より外側に突出する位置に設けられた第２ストッパリブを有することを特徴とする車載カメラ用カバー。
【発明の詳細な説明】
【技術分野】
【０００１】
本発明は、車載カメラの光学レンズを遮蔽する車載カメラ用カバーに関する。
【背景技術】
【０００２】
車載カメラに装着する車載カメラ用カバーが提案されている（特許文献１参照）。車載カメラ用カバーの装着は、種々の理由があるが、車載カメラの撮影を行わないために装着する車載カメラ用カバーがある。
【０００３】
ドライブレコーダ等の車載カメラは、フロントガラスを通して車両前方の映像を撮影し、事故やヒヤリハットが起きた際の状況を記録する。しかし、特定の工場等では撮影禁止の場所があり、このような場所では、車載カメラによる撮影を停止すると共に車両の外部からも撮影していないことが目視で確認できるようにする必要がある。そのため、従来より光学レンズを覆う車載カメラ用カバーが提案されている。
【０００４】
この従来の車載カメラ用カバーは、車載カメラの前方より車載カメラ用カバーを装着し、車載カメラの光学レンズを覆う。車載カメラ用カバーを装着すれば、車載カメラでの撮影ができないと共に車両の外部からの目視で車載カメラでの撮影をしていないことを確認できる。
【０００５】
ところで、図１０に示すように、前記従来例の車載カメラ用カバー（図示せず）は、フロントガラス１の傾斜角度（水平方向に対する角度）が小さい車両では、フロントガラス１と、フロントガラス１にカメラブラケット２を介して取り付けされた車載カメラ１０との隙間が広いため、車載カメラ用カバー（図示せず）の装着が可能である。
【先行技術文献】
【特許文献】
【０００６】
【特許文献１】特開２００４−２５９３０号公報
【発明の概要】
【発明が解決しようとする課題】
【０００７】
しかしながら、図１１に示すように、フロントガラス１の傾斜角度（水平方向に対する角度）が大きい車両（バス、トラックなど）では、フロントガラス１と車載カメラ１０との隙間が狭いため、車載カメラ用カバー（図示せず）の装着が出来ない、又、装着出来るとしても装着作業が面倒であるという問題があった。
【０００８】
そこで、本発明は、前記した課題を解決すべくなされたものであり、ガラスと車載カメラとの隙間が狭くても車載カメラに簡単に装着できる車載カメラ用カバーを提供することを目的とする。
【課題を解決するための手段】
【０００９】
本発明は、車室内よりガラスを通して外部を撮影する車載カメラに装着する車載カメラ用カバーであって、前記車載カメラの下方より着脱自在に設けられ、装着状態では前記車載カメラの光学レンズと前記ガラスの間に入り込むレンズ遮蔽プレート部を有することを特徴とする車載カメラ用カバーである。
【発明の効果】
【００１０】
本発明によれば、ガラスと車載カメラとの間には、レンズ遮蔽プレート部を挿入するだけの隙間があれば車載カメラ用カバーを装着できる。従って、ガラスと車載カメラとの隙間が狭くても車載カメラに簡単に装着できる。
【図面の簡単な説明】
【００１１】
【図１】本発明の一実施形態を示し、カメラカバーを車載カメラに装着する過程を示す側面図である。
【図２】本発明の一実施形態を示し、カメラカバーを車載カメラに装着した状態の側面図である。
【図３】本発明の一実施形態を示し、カメラカバーを車載カメラに装着した状態の断面図である。
【図４】本発明の一実施形態を示し、車載カメラの本体側を省いた図３のＡ−Ａ線断面図である。
【図５】本発明の一実施形態を示し、カメラカバーの斜視図である。
【図６】本発明の一実施形態を示し、カメラカバーの平面図である。
【図７】本発明の一実施形態を示し、（ａ）はカメラカバーの断面図、（ｂ）は（ａ）のＤ２拡大図である。
【図８】本発明の一実施形態を示し、図４のＤ１拡大図である。
【図９】本発明の一実施形態を示し、カメラカバーの側方を下にして落下、踏みつけ等で外力が作用した状態を示す図である。
【図１０】従来例の説明にあって、フロントガラスの傾斜角度（水平方向に対する角度）が小さい車両に車載カメラが設置された状態を示す側面図である。
【図１１】従来例の説明にあって、フロントガラスの傾斜角度（水平方向に対する角度）が大きい車両に車載カメラが設置された状態を示す側面図である。
【発明を実施するための形態】
【００１２】
以下、本発明の一実施形態を図面に基づいて説明する。
【００１３】
図１〜図９は本発明の一実施形態を示す。図１及び図２に示すように、車両は、ガラスであるフロントガラス１の傾斜角度（水平方向に対する角度）が大きい車両である。車両のフロントガラス１の内面には、一対のカメラブラケット２を介して車載カメラ１０が搭載されている。
【００１４】
車載カメラ１０には、外装ケース１１が装着されている。外装ケース１１の両側面部のガイドピン１１ａがカメラブラケット２の円弧溝２ａに係合されている。カメラ１０は、カメラブラケット２の円弧溝２ａの所望の位置でガイドピン１１ａを位置決め固定することにより所望の取付角度で取付けされる。車載カメラ１０の取付角度で光学レンズ１０ａの光軸方向が可変され、所望の撮影エリアを撮影できる。車載カメラ１０は、フロントガラス１を通して車両の外部を撮影する。
【００１５】
また、外装ケース１１の両側面部には、水平方向に延びる複数の凹部１１ｂが上下方向に設けられている。最下方の凹部１１ｂは、車載カメラ用カバー２０の取付けに使用される。
【００１６】
車載カメラ用カバー２０は、図１〜図７に示すように、底壁２１と、底壁２１の後方及び側面後方の周縁より立設された後方囲み壁２２と、底壁２１の左右の周縁より立設された一対のスナップフィット部２３と、底壁２１の前方及び側面前方の周縁より立設されたレンズ遮蔽プレート部２４とを有する。
【００１７】
車載カメラ用カバー２０には、底壁２１と後方囲み壁２２と一対のスナップフィット部２３とレンズ遮蔽プレート部２４に囲まれて、上面側が開口されたカメラ保持室２５が設けられている。
【００１８】
一対のスナップフィット部２３は、カメラ保持室２５の一対の側壁を兼用している。一対のスナップフィット部２３の先端には、それぞれ内側（カメラ保持室２３）に向かって突出する係止爪２３ａが設けられている。係止爪２３ａは、図８に詳しく示すように、上面側が水平面２３ｂに、下面側がテーパ面２３ｃに形成されている。
【００１９】
一対のスナップフィット部２３は、後方囲み壁２２の側面後方の周壁とレンズ遮蔽プレート部２４の側面前方の周壁よりやや内側に傾斜して立設されている（図４、図５参照）。
【００２０】
底壁２１には、その中央箇所に一段高い中央底壁部２１ａが設けられている。中央底壁部２１ａには、スナップフィット部３０が設けられている、底壁２１のスナップフィット部３０は、底壁２１を切り欠くことで形成されている。底壁２１のスナップフィット部３０の自由端である先端には、上方（カメラ保持室２５）に突出する突部３０ａが設けられている。突部３０ａは、中央底壁部２１ａの底面より上方に突出している。又、中央底壁部２１ａには、複数の前方規制リブ２１ｂが立設されている。
【００２１】
一対のスナップショット部２３の根元には、外側に突出する第１ストッパリブ３１がそれぞれ設けられている。各第１ストッパリブ３１は、図５にて矢印で示す方向に変位操作することによって各スナップフィット部２３を係止解除方向（外側に開く方向）に変移できる。
【００２２】
一対のスナップフィット部２３の近くの後方囲み壁２２の上端には、外側に突出する第２ストッパリブ３２がそれぞれ設けられている。第２ストッパリブ３２及び第１ストッパリブ３１は、同じ突出寸法に形成されている。
【００２３】
レンズ遮蔽プレート部２４は、カメラ保持室２５の前方囲み壁を兼用している。レンズ遮蔽プレート部２４は、後方囲み壁２２及び左右の各スナップフィット部２３の高さより高く形成されている。レンズ遮蔽プレート部２４の高さは、図２に示すように、車載カメラ１０の装着状態では、車載カメラ１０の光学レンズ１１とフロントガラス１の間に入り込み、光学レンズ１１の前面を遮蔽する高さである。
【００２４】
上記構成において、撮影禁止の場所に入る前に、図１にて示すように、操作者（例えばドライバー）が車載カメラ用カバー２０を把持し、車載カメラ用カバー２０を車載カメラ１０の下方から上方に向かって移動する。すると、車載カメラ１０の下方が車載カメラ用カバー２０のカメラ保持室２５に徐々に入り込む。一対のスナップフィット部２５が車載カメラ１０の底面の周縁に干渉する。この状態より車載カメラ用カバー２０を更に上方に移動すると、一対のスナップフィット部２３が外側に開く方向に弾性撓み変形し、車載カメラ用カバー２０が上方に移動可能となる。
【００２５】
車載カメラ用カバー２０の上方への移動が進むと、底壁２１のスナップフィット部３０の突部３０ａに車載カメラ１０の底面が当接する。この状態より車載カメラ用カバー２０を上方に移動すると、底壁２１のスナップフィット部３０が下方に弾性撓み変形し、車載カメラ用カバー２０が上方に移動可能となる。車載カメラ用カバー２０の底壁２１に車載カメラ１０の底面が当接する位置（図７（ｂ）の仮想線位置）までに、一対のスナップフィット部２３の係止爪２３ａが車載カメラ１０の凹部１１ｂの高さ位置になり、一対のスナップフィット部２３が内側に弾性復帰変形し、図８にて仮想線で示すように、一対のスナップフィット部２３の各係止爪２３ａが車載カメラ１０の凹部１１ｂに入り込む。
【００２６】
その後、操作者が車載カメラ用カバー２０より手を放す。すると、底壁２１のスナップフィット部３０が上方に弾性復帰変形し、この弾性変形によって車載カメラ用カバー２０が図８にて実線で示すように、相対的に下方に変位し、一対のスナップフィット部２３の各係止爪２３ａの傾斜面２３ｃが車載カメラ１０の凹部１１ｂの下方エッジに係止し、車体カメラ用カバー２０が車体カメラ１０に装着される。
【００２７】
車載カメラ用カバー２０の装着位置では、車載カメラ１０の前後方向は、複数の前方規制リブ２１ｂと後方囲み壁２２に規制されることで位置決めされる。車載カメラ１０の左右方向は、一対のスナップフィット部２３の係止爪２３ａが車載カメラ１０の一対の凹部１１ｂの下方エッジに弾性変形力を作用させた状態で保持することで位置決めされる。車載カメラ１０の上下方向は、一対のスナップフィット部２３の係止爪２３ａが車載カメラ１０の凹部１１ｂの下方エッジに係止し、且つ、底壁２１のスナップフィット部３０が車載カメラ１０の底面を弾性変形力を作用させた状態で支持することで位置決めされる。このように、車載カメラ用カバー２０は、前後方向、左右方向及び上下方向でガタ付きなく車載カメラ１０に装着される。
【００２８】
車載カメラ用カバー２０の装着位置では、レンズ遮蔽プレート部２４が車載カメラ１０の光学レンズ１１とフロントガラス１の間に入り込む。これで、外部を撮影することが出来ない状態となる。又、車載カメラ１０の光学レンズ１１が車載カメラ用カバー２０で覆われているため、車両の外部からの目視で車載カメラ１０での撮影をしていないことを確認できる。
【００２９】
撮影禁止の場所を出ると、操作者が第１ストッパリブ３１を下方に変位操作し（図４の矢印方向）、一対のスナップフィット部２３の係止を解除する。そして、車載カメラ用カバー２０を下方に移動して車載カメラ１０から取り外す。従って、車載カメラ１０に何ら外力を作用させることなくスムーズに車載カメラ用カバー２０を取り外せる。
【００３０】
第１ストッパリブ３１を変位操作しなくても、車載カメラ用カバー２０を下方に移動させるべく外力を作用させると、係止爪２３ａの下面側がテーパ面２３ｃであることから、テーパ面２３ｃに倣って一対のスナップショット部２３が係止解除方向に変位し、車載カメラ１０から車載カメラ用カバー２０を取り外すことができる。車載カメラ用カバー２０に下方への外力を作用させて取り外す際にも、テーパ面２３ｃによって外力が分散され、車載カメラ１０に作用する外力が極力抑えられるため、車載カメラ１０からスムーズに車載カメラ用カバー２０を取り外せる。
【００３１】
以上説明したように、車載用カメラ用カバー２０は、車載カメラ１０の下方より着脱自在に設けられ、装着状態では車載カメラ１０の光学レンズ１１とガラス１の間に入り込むレンズ遮蔽プレート部２４を有する。従って、この実施形態のように、フロントガラス１と車載カメラ１０との隙間が狭くても、レンズ遮蔽プレート部２４を挿入するだけの隙間（レンズ遮蔽プレート部２４の肉厚分）さえあれば車載カメラ用カバー２０を装着できる。つまり、従来例では、フロントガラス１と車載カメラ１０との間には、車載カメラ用カバー２０を位置させるだけのスペースがなければ車載カメラ用カバー２０を装着できなかったが、本実施形態では、フロントガラス１の傾斜角度（水平方向に対する角度）が大きい車両（バス、トラックなど）で、フロントガラス１と車載カメラ１０との隙間が狭くても車載用カメラ用カバー２０を車載カメラ１０に装着できる。
【００３２】
車載カメラ用カバー２０は、車載カメラ１０の装着位置では、車載カメラ１０の側面に弾性変形した態で係止する一対のスナップフィット部２３と、車載カメラ１０の底面に弾性変形した状態で当接するスナップフィット部３０とを有する。従って、車載カメラ１０の装着位置では、一対のスナップフィット部２３が車載カメラ１０の両側面を弾性変形力を作用させた状態で保持するため、車載カメラ１０用カバー２０は、左右方向にガタ付かない。また、一対のスナップフィット部２３が車載カメラ１０に係止し、且つ、底壁２１のスナップフィット部３０が車載カメラ１０車載カメラ１０の底面を弾性変形力を作用させた状態で支持するため、車載カメラ１０用カバー２０は、上下方向にガタ付かない。従って、車体振動等によっても車載カメラ用カバー２０がガタ付くことがない。
【００３３】
車載カメラ用カバー２０の装着・取外しに際しては、車載カメラ１０には一対のスナップフィット部２３の係止・係止解除に要する力しか作用しない。従って、車載カメラ用カバー２０の装着時及び取外し時における車載カメラ１０の取付け角度ズレを防止できる。
【００３４】
車載カメラ用カバー２０の装着及び取り外しは、一対のスナップフィット部２３の弾性変形によって可能であるため、車載カメラ用カバー２０の装着作業及び取り外し作業をそれぞれ１アクションで行うことができ、作業性が非常に良い。
【００３５】
底壁２１と後方囲み壁２２と一対のスナップフィット部２３とレンズ遮蔽プレート部２４に囲まれて、上面側が開口されたカメラ保持室２５が形成され、車載カメラ１０の装着位置では、カメラ保持室２５に車載カメラ１０を収容した状態で保持する。従って、四方が囲まれたカメラ保持室２５に車載カメラ１０を収容して保持するため、車載カメラ１０を確実に保持できる。
【００３６】
車載カメラ用カバー２０には、一対のスナップフィット部２３より外側に突出する位置に設けられ、変位操作によって一対のスナップフィット部２３を係止解除方向に変移できる第１ストッパリブ３１を有する。従って、各スナップフィット部２３の係止解除を車載カメラ１０に全くダメージを与えることなく容易に行うことができる。図９にて実線で示すように、車載カメラ用カバー２０を横に向けた状態で落下させたり、踏み付けられたりした場合に第１ストッパリブ３１が外力を受け、各スナップフィット部２３が直接の外力を受けることがない。これにより、左右スナップフィット部２３の損傷を防止できる。
【００３７】
車載カメラ用カバー２０には、各スナップフィット部２３より外側に突出する位置に設けられた第２ストッパリブ３２を有する。図９にて仮想線で示すように、車載カメラ用カバー２０を横に向けた状態で落下させたり、踏み付けられたりした場合に第２ストッパリブ３２が外力を受け、スナップフィット部２３が直接の外力を受けることがない。これによっても、各スナップフィット部２３の損傷を防止できる。
【００３８】
車載カメラ用カバー２０の底壁２１のスナップフィット部３０は、周囲の底壁２１より一段高くなった中央底壁部２１ａに設けられている。従って、車載カメラ用カバー２０を底壁２１を下方とした状態で落下させたり、踏み付けられたりしても底壁２１のスナップフィット部３０が直接の外力を受けることがない。これにより、底壁２１のスナップフィット部３０の損傷を防止できる。
【００３９】
実施形態では、車載カメラ１０は、フロントガラス１を通して外部を撮影するものであるが、フロントガラス１以外のガラス（例えば、リアガラス）を通して外部を撮影するものであっても良い。
【００４０】
本明細書では、車載カメラ１０とは、動画を撮影するカメラ、静止画を撮影するカメラ、その他の撮像装置をいう。
【符号の説明】
【００４１】
１  フロントガラス（ガラス）
１０  車載カメラ
１１  光学レンズ
２０  車載カメラ用カバー
２１  底壁
２２  後方囲み壁
２３  スナップフィット部
２４  レンズ遮蔽プレート部
２５  カメラ保持室
３０  底壁のスナップフィット部
３１  第１ストッパリブ
３２  第２ストッパリブ
【図１】
2018158661.tif 000003
【図２】
2018158661.tif 000004
【図３】
2018158661.tif 000005
【図４】
2018158661.tif 000006
【図５】
2018158661.tif 000007
【図６】
2018158661.tif 000008
【図７】
2018158661.tif 000009
【図８】
2018158661.tif 000010
【図９】
2018158661.tif 000011
【図１０】
2018158661.tif 000012
【図１１】
2018158661.tif 000013